(57)【要約】【課題】外気温の状況によって保温と換気を切り替え可能な農業用フィルムを提供すること。【解決手段】帯状のフィルムからなり、内部空間を被覆するように展張して用いる農業用フィルム１において、帯状のフィルム全面に、直径０．１ｍｍ以上４．０ｍｍ以下の複数の小孔２が形成され、且つ該小孔２による開口率が、フィルム全面積に対して０．５〜１．５％となるように設けられ、内部空間の空気の温度が、フィルム外部から入射した太陽光の熱により加温され、フィルム外部の空気よりも１０℃以上高い場合に、内部空間内で下方から上方に向かう加熱された空気の上昇流が生起され、該小孔２を介して、内部空間内の空気を内部空間からフィルム外部へ排出して、内部空間の空気温度の上昇を抑制する構成を有し、フィルムから入射した太陽光の熱による加温が少なく、内部空間の空気と、フィルム外部の空気との温度差が１０℃未満の場合に、フィルム外部の空気が、内部空間内に流入するのを抑制する構成を有することを特徴とする。【選択図】図２
2019017360.tif 000002
【特許請求の範囲】
【請求項１】
帯状のフィルムからなり、内部空間を被覆するように展張して用いる農業用フィルムにおいて、
帯状のフィルム全面に、直径０．１ｍｍ以上４．０ｍｍ以下の複数の小孔が形成され、且つ該小孔による開口率が、フィルム全面積に対して０．５〜１．５％となるように設けられ、
前記内部空間の空気の温度が、フィルム外部から入射した太陽光の熱により加温され、フィルム外部の空気よりも１０℃以上高い場合に、前記内部空間内で下方から上方に向かう加熱された空気の上昇流が生起され、該小孔を介して、前記内部空間内の空気を前記内部空間から前記フィルム外部へ排出して、前記内部空間の空気温度の上昇を抑制する構成を有し、
フィルムから入射した太陽光の熱による加温が少なく、前記内部空間の空気と、フィルム外部の空気との温度差が１０℃未満の場合に、フィルム外部の空気が、前記内部空間内に流入するのを抑制する構成を有することを特徴とする農業用フィルム。
【請求項２】
前記内部空間の空気がフィルム外部から入射した太陽光の熱により加温され、フィルム外部の空気よりも１０℃以上高い場合に、前記内部空間の空気温度の上昇を抑制する構成が、
前記小孔の開口率規定に基づく断面積により、空気の上昇流の流体圧力が前記小孔の圧力損失以上となるように規定される構成であることを特徴とする請求項１記載の農業用フィルム。
【請求項３】
フィルムから入射した太陽光の熱による加温が少なく、前記内部空間の空気と、フィルム外部の空気との温度差が１０℃未満の場合に、フィルム外部の空気が、前記内部空間内に流入するのを抑制する構成が、
前記内部空間内の空気の流動が実質的に制限されて前記小孔内で流動することなく断熱作用を呈する空気溜りが形成される構成であることを特徴とする請求項１又は２記載の農業用フィルム。
【請求項４】
帯状のフィルムからなり、内部空間を被覆するように展張して用いる農業用フィルムにおいて、
帯状のフィルム全面に、長さ５ｍｍ以上１５ｍｍ以下、幅０．１ｍｍ以上０．８ｍｍ以下の複数のスリット孔が形成され、且つ該スリット孔による開口率が、フィルム全面積に対して０．５〜１．５％となるように設けられ、
前記内部空間の空気の温度が、フィルム外部から入射した太陽光の熱により加温され、フィルム外部の空気よりも１０℃以上高い場合に、前記内部空間内で下方から上方に向かう加熱された空気の上昇流が生起され、該スリット孔を介して、前記内部空間内の空気を前記内部空間から前記フィルム外部へ排出して、前記内部空間の空気温度の上昇を抑制する構成を有し、
フィルムから入射した太陽光の熱による加温が少なく、前記内部空間の空気と、フィルム外部の空気との温度差が１０℃未満の場合に、フィルム外部の空気が、前記内部空間内に流入するのを抑制する構成を有することを特徴とする農業用フィルム。
【請求項５】
前記内部空間の空気がフィルム外部から入射した太陽光の熱により加温され、フィルム外部の空気よりも１０℃以上高い場合に、前記内部空間の空気温度の上昇を抑制する構成が、
前記スリット孔の開口率規定に基づく断面積により、空気の上昇流の流体圧力が前記スリット孔の圧力損失以上となるように規定される構成であることを特徴とする請求項４記載の農業用フィルム。
【請求項６】
フィルムから入射した太陽光の熱による加温が少なく、前記内部空間の空気と、フィルム外部の空気との温度差が１０℃未満の場合に、フィルム外部の空気が、前記内部空間内に流入するのを抑制する構成が、
前記内部空間内の空気の流動が実質的に制限されて前記スリット孔内で流動することなく断熱作用を呈する空気溜りが形成される構成であることを特徴とする請求項４又は５記載の農業用フィルム。
【請求項７】
前記スリット孔は、複数本のスリット孔を放射状に配置してスリット群を構成してなることを特徴とする請求項４〜６の何れかに記載の農業用フィルム。
【発明の詳細な説明】
【技術分野】
【０００１】
本発明は、農業用フィルムに関し、より詳しくは、外気温の状況によって保温と換気を切り替え可能な農業用フィルムに関する。
【背景技術】
【０００２】
ハウスやトンネルに被覆される農業用フィルムは、農作物の生育環境を良好にするために用いられる。
【０００３】
農業用フィルムに求められる性能の一つとして、保温性、昇温性が挙げられる。外気温が低温であると、農作物の生育が遅れたり、冷害を起こし易くなるため、農業用フィルムが保温性、昇温性を発揮することは重要である。
【０００４】
一方で、フィルム内部の温度が昇温し過ぎることを抑制するため、農業用フィルム内の換気もまた重要である。
一般的には、フィルムの両サイドを巻き上げる等により換気しているが、人手がかかる。換気を目的として、フィルムに複数の小孔を設けた農業用フィルムも開発されている（特許文献１）。しかし、このようなフィルムは、小孔を通して常に空気の流出入があるため、保温性、昇温性を得がたい問題点があった。
【先行技術文献】
【特許文献】
【０００５】
【特許文献１】特開２００６−３４０６４７号公報
【発明の概要】
【発明が解決しようとする課題】
【０００６】
上記のような従来の問題点を鑑みて、本発明者は、外気温が低い場合は、フィルム内部と外部との空気の流出入が抑制されて、保温性、昇温性を発揮し、外気温が高くフィルム内部の温度が昇温した場合には、フィルム内部の温められた空気をフィルム外部に流出して、フィルム内部の過度な昇温を抑制することができる農業用フィルムを開発した。
【０００７】
そこで、本発明の課題は、外気温の状況によって保温と換気を切り替え可能な農業用フィルムを提供することにある。
【０００８】
また本発明の他の課題は、以下の記載によって明らかとなる。
【課題を解決するための手段】
【０００９】
上記課題は、以下の各発明によって解決される。
【００１０】
（請求項１）
帯状のフィルムからなり、内部空間を被覆するように展張して用いる農業用フィルムにおいて、
帯状のフィルム全面に、直径０．１ｍｍ以上４．０ｍｍ以下の複数の小孔が形成され、且つ該小孔による開口率が、フィルム全面積に対して０．５〜１．５％となるように設けられ、
前記内部空間の空気の温度が、フィルム外部から入射した太陽光の熱により加温され、フィルム外部の空気よりも１０℃以上高い場合に、前記内部空間内で下方から上方に向かう加熱された空気の上昇流が生起され、該小孔を介して、前記内部空間内の空気を前記内部空間から前記フィルム外部へ排出して、前記内部空間の空気温度の上昇を抑制する構成を有し、
フィルムから入射した太陽光の熱による加温が少なく、前記内部空間の空気と、フィルム外部の空気との温度差が１０℃未満の場合に、フィルム外部の空気が、前記内部空間内に流入するのを抑制する構成を有することを特徴とする農業用フィルム。
（請求項２）
前記内部空間の空気がフィルム外部から入射した太陽光の熱により加温され、フィルム外部の空気よりも１０℃以上高い場合に、前記内部空間の空気温度の上昇を抑制する構成が、
前記小孔の開口率規定に基づく断面積により、空気の上昇流の流体圧力が前記小孔の圧力損失以上となるように規定される構成であることを特徴とする請求項１記載の農業用フィルム。
（請求項３）
フィルムから入射した太陽光の熱による加温が少なく、前記内部空間の空気と、フィルム外部の空気との温度差が１０℃未満の場合に、フィルム外部の空気が、前記内部空間内に流入するのを抑制する構成が、
前記内部空間内の空気の流動が実質的に制限されて前記小孔内で流動することなく断熱作用を呈する空気溜りが形成される構成であることを特徴とする請求項１又は２記載の農業用フィルム。
（請求項４）
帯状のフィルムからなり、内部空間を被覆するように展張して用いる農業用フィルムにおいて、
帯状のフィルム全面に、長さ５ｍｍ以上１５ｍｍ以下、幅０．１ｍｍ以上０．８ｍｍ以下の複数のスリット孔が形成され、且つ該スリット孔による開口率が、フィルム全面積に対して０．５〜１．５％となるように設けられ、
前記内部空間の空気の温度が、フィルム外部から入射した太陽光の熱により加温され、フィルム外部の空気よりも１０℃以上高い場合に、前記内部空間内で下方から上方に向かう加熱された空気の上昇流が生起され、該スリット孔を介して、前記内部空間内の空気を前記内部空間から前記フィルム外部へ排出して、前記内部空間の空気温度の上昇を抑制する構成を有し、
フィルムから入射した太陽光の熱による加温が少なく、前記内部空間の空気と、フィルム外部の空気との温度差が１０℃未満の場合に、フィルム外部の空気が、前記内部空間内に流入するのを抑制する構成を有することを特徴とする農業用フィルム。
（請求項５）
前記内部空間の空気がフィルム外部から入射した太陽光の熱により加温され、フィルム外部の空気よりも１０℃以上高い場合に、前記内部空間の空気温度の上昇を抑制する構成が、
前記スリット孔の開口率規定に基づく断面積により、空気の上昇流の流体圧力が前記スリット孔の圧力損失以上となるように規定される構成であることを特徴とする請求項４記載の農業用フィルム。
（請求項６）
フィルムから入射した太陽光の熱による加温が少なく、前記内部空間の空気と、フィルム外部の空気との温度差が１０℃未満の場合に、フィルム外部の空気が、前記内部空間内に流入するのを抑制する構成が、
前記内部空間内の空気の流動が実質的に制限されて前記スリット孔内で流動することなく断熱作用を呈する空気溜りが形成される構成であることを特徴とする請求項４又は５記載の農業用フィルム。
（請求項７）
前記スリット孔は、複数本のスリット孔を放射状に配置してスリット群を構成してなることを特徴とする請求項４〜６の何れかに記載の農業用フィルム。
【発明の効果】
【００１１】
本発明によれば、外気温の状況によって保温と換気を切り替え可能な農業用フィルムを提供できる効果が得られる。
【図面の簡単な説明】
【００１２】
【図１】本発明に係る農業用フィルムの一例を示す図
【図２】本発明の実施形態のメカニズムを概念的に説明する図
【図３】本発明に係る農業用フィルムの他の例を示す図
【図４】スリット群の構成例を説明する図
【発明を実施するための形態】
【００１３】
以下、図面に基づいて、本発明を実施するための形態について説明する。
【００１４】
図１は、本発明に係る農業用フィルムの一例を示す図である。
同図において、１は帯状の農業用フィルム（以下、単にフィルムと称する場合がある）であり、２は該フィルムの全面に穿設された小孔である。
【００１５】
上記農業用フィルム１は、作物栽培を行う圃場などに、アーチパイプなどのハウス骨格を形成し、そのハウス骨格によって形成される内部空間を被覆するように展張して用いる。
【００１６】
本形態では、直径０．１ｍｍ以上４．０ｍｍ以下の小孔が、フィルム全体に対して開口率０．５〜１．５％で設けられる。開口率をＡｒとすると、フィルム全面積Ｓに対して、小孔1個の面積をｓとし、小孔のフィルム全面に穿設された個数をｎとすると、Ａｒ＝（ｓ×ｎ）／Ｓで表される。百分率で表す場合は、Ａｒを１００倍する。
【００１７】
本実施の形態では、上記のフィルム構成により、内部空間の空気がフィルム外部から入射した太陽光の熱により加温され、フィルム外部の空気よりも１０℃以上高い場合に、前記内部空間内で下方から上方に向かう、加熱された空気の上昇流が生起される。そして小孔２を介して、前記内部空間内の空気を前記内部空間から前記フィルム外部へ排出する。そうすることによって、内部空間の空気温度の上昇を抑制する。
【００１８】
また、フィルムから入射した太陽光の熱による加温が少なく、前記内部空間の空気と、フィルム外部の空気との温度差が１０℃未満の場合に、フィルム外部の空気が、前記内部空間内に流入するのを抑制する。つまり、外気温の状況によって保温及び換気を切り替え可能とすることができる。
【００１９】
本実施の形態のメカニズムについて図２に基づいて概念的に説明する。
図２（ａ）は、フィルム内部と外部の温度差が１０℃未満の場合における、概略フィルム断面図であり、図２（ｂ）は、フィルム内部と外部の温度差が１０℃以上の場合における、フィルム概略断面図である。
【００２０】
＜フィルム内部と外部の温度差が１０℃未満の場合＞
図２（ａ）に示すように、フィルム１に設けられた小孔２において、外気が出入りする場合の流路抵抗によるエネルギー損失（単位体積当たりのエネルギー損失）をΔＰ１とする。フィルム内部では、空気が対流しており、このときの空気の運動エネルギーをＥ１とする。
【００２１】
フィルム内部と外部の温度差が１０℃未満の状況においては、小孔の直径と開口率の規定から、Ｅ１＜ΔＰ１の関係となるため、フィルム内部から外部へ空気が流出し難い。このような状態では、フィルムによる保温性、昇温性が発揮される。
【００２２】
＜フィルム内部と外部の温度差が１０℃以上の場合＞
次に、例えば外気温が上昇することによってフィルム内部と外部の温度差が１０℃以上の場合には、フィルム内部の空気が温められ、内部の空気の密度が小さくなる。フィルム内部において、下部から上部に向かう空気の上昇気流が生まれる。この結果、フィルム内部の空気の運動エネルギーは大きくなり、図２（ａ）に示すように、空気の運動エネルギーＥ２は、Ｅ２＞Ｅ１となる。
【００２３】
さらに、フィルム内部の温度が上昇すると、この場合の流路抵抗によるエネルギー損失ΔＰ２は、フィルム内部と外部の温度差が１０℃未満の場合と比べて小さくなる。熱膨張により、小孔の径が実質的に増大するからである。
【００２４】
結果として、図２（ｂ）に示すように、フィルム内部と外部の温度差が１０℃以上になると、Ｅ２＞ΔＰ２の関係となり、小孔からフィルム内部の空気が流出することになり、フィルム内部の換気が実現されるようになる。
【００２５】
なお、フィルム自体の熱伝導も理論的には存在するが、フィルム表面の境界抵抗が大きいので、考慮する必要がない。小孔を通過する空気の熱移動を考慮すれば十分だからである。
【００２６】
小孔が円形である場合、その直径は、０．１ｍｍ以上４．０ｍｍ以下であり、好ましくは０．５ｍｍ以上３．５ｍｍ以下、特に好ましくは１．０ｍｍ以上３．０ｍｍ以下である。
【００２７】
直径が０．１ｍｍより小さいと、外気温の状況によって保温と換気を切り替える効果が得難くなり、また、加工が困難となり、また４．０ｍｍより大きいと保温性に問題があるので好ましくない。
【００２８】
小孔は、丸孔以外に、楕円形孔、多角形孔（例えば三角形孔、四角形孔、五角形孔、星型形状孔など）であってもよい。
【００２９】
本形態において、小孔の直径は、小孔が丸孔である場合には、その直径を意味し、丸孔以外の多角形孔の場合は、多角形孔の面積から求めた円換算直径を意味する。
【００３０】
本発明において、開口率は０．５〜１．５％であり、好ましくは０．７〜１．３％である。
【００３１】
開口率が０．５％未満では、小孔から空気が流出入する場合の流路抵抗が大きくなるため、空気の流動が困難となり、換気困難となる。
開口率が１．５％を超えると、常に空気の流出入が生じるため、低温時に保温困難となる。
【００３２】
小孔２を形成する方法としては、格別限定されないが、例えば、フィルム１に、パンチングで形成したり、穿刺したり、あるいは加熱した針等で溶開する方法、レーザー加工などが挙げられ、作業面から考えると、穿刺したり、あるいは加熱した針等で溶開する方法、レーザー加工が好ましく採用される。
【００３３】
フィルム１は、形成される小孔２が上述のように非常に小さい直径であるが、小さい直径であっても開口しているのであるから、通常であれば空気の流出入が常時起こると考えられる。
しかし、本発明の直径の大きさ且つ開口率で、小孔２を形成することによって、外気が低温の場合は、フィルム内部と外部との空気の流れを抑制して、フィルム内部の保温し、外気が高温でフィルム内部の温度が昇温する場合には、フィルム内部から温まった空気をフィルム外部に流出させて、フィルム内部の昇温を抑制することができる。
【００３４】
フィルム１は、樹脂フィルムであれば特に限定されず、例えば、塩化ビニル系樹脂フィルムやポリエチレン、エチレン−酢酸ビニル共重合体のようなポリオレフィン系樹脂フィルム等の不透水性の各種熱可塑性合成樹脂製のフィルムを用いることができる。
【００３５】
中でも本発明において好ましいのは、ポリオレフィン系樹脂である。ポリオレフィン系樹脂としては、α−オレフィンの単独重合体、α−オレフィンを主成分とする異種単量体との共重合体であり、例えばポリエチレン、ポリプロピレン、エチレン−プロピレン共重合体、エチレン−ブテン１共重合体、エチレン−４−メチル−１−ペンテン共重合体、エチレン−ヘキセン共重合体、エチレン−オクテン共重合体、エチレン−デセン共重合体等のエチレン−α−オレフィン共重合体、エチレン−酢酸ビニル共重合体、エチレン−アクリル酸共重合体、エチレン−メチルメタクリレート共重合体、エチレン−酢酸ビニル−メチルメタクリレート共重合体、アイオノマー共重合体などが挙げられる。これらの樹脂は、単独又はブレンド使用することができる。
【００３６】
フィルム１の厚みは、２０〜２００μｍとすることができる。特に、フィルム１が、低密度ポリエチレン樹脂製の場合には、コスト、強度、柔軟性、作業性等を考慮して、３０〜１５０μmとすることが好ましく、より好ましくは５０〜１００μmとする。
【００３７】
厚みが３０μｍ未満になると、耐久性が低下しやすく、１５０μｍを超えると流路抵抗が増加するため空気が流出し難くなる。
【００３８】
フィルム１は、小孔２を有するため、雨水の浸入が発生する。このとき、雨水のボタ落ちによる農作物の病害を抑制するために、フィルム１の片面又は両面に、小孔２の少なくとも一部を被覆するように親水膜を有してもよい。
【００３９】
親水膜は、無機親水性コロイド物質と親水性有機化合物を主成分とする親水性塗布液を塗布することによって形成することができる。
【００４０】
無機親水性コロイド物質の例としては、コロイダルシリカ、コロイダルアルミナ、コロイド状のＦｅ（ＯＨ）２、コロイド状のＳｎ（ＯＨ）４、コロイド状のＴｉＯ２、コロイド状のＢａＳＯ４およびコロイド状のリチウムシリケート等を挙げることができる。
【００４１】
親水性有機化合物の例としては、各種の界面活性剤（ノニオン系、アニオン系、カチオン系）や水酸基含有ビニル単量体成分を主成分とし、酸基含有ビニル単量体成分を０．１〜４０％含有する共重合体、またはその部分もしくは完全中和物、およびスルホン酸基含有ポリエステル樹脂等を挙げることができる。
【００４２】
その他、親水膜を形成するための親水性塗布液には、親水膜の効果を妨げない範囲で、紫外線吸収剤、着色剤、農薬、肥料等の他の成分を配合することができる。
【００４３】
親水性塗布液は、フィルム１の小孔の少なくとも一部を被覆するように塗布されてもよいし、フィルム１の片面又は両面の全体に塗布されてもよい。このとき、雨水の移動をより効果的に行う観点から、小孔の内部にまでも塗布することができる。
【００４４】
親水性塗布液を塗布する方法としては、スプレー塗布、はけ塗り、ロールコート等が挙げられる。
【００４５】
親水膜は、新水性塗布液を複数回重ね塗りして形成してもよい。
【００４６】
フィルム１には、必要により各種の添加剤を添加することができる。具体的には、無機充填材（炭酸カルシウム、各種ハイドロタルサイト化合物、タルク、シリカ、アルミナ、ゼオライト等）、滑剤、アンチブロッキング剤、無滴剤等を例示することができる。
【００４７】
以上の説明において、フィルムは、ハウス外張り用のフィルムであってもよいし、あるいはトンネル外張り用フィルムであってもよいし、カーテンであってもよい。
【００４８】
本発明において、小孔に代えてスリット孔を用いてもよい。スリット孔を用いる場合においても、帯状のフィルム全面に複数のスリット孔を形成する。これについて、図３及び図４を参照して説明する。
【００４９】
図３は本発明に係る農業用フィルムの他の例を示す図であり、フィルム１には、小孔２に代えてスリット孔２’が設けられている。
【００５０】
スリット孔２’は、長さが５ｍｍ以上１５ｍｍ以下、好ましくは７ｍｍ以上１２ｍｍ以下である。また、スリット孔は、幅が０．１ｍｍ以上０．８ｍｍ以下、好ましくは０．２ｍｍ〜０．４ｍｍである。
【００５１】
スリット孔２’が上記長さ及び幅を有することによって、上述した特定の直径を有する小孔２と同様の機能を発揮する。スリット孔２’を用いる場合においても、該スリット孔２’による開口率が、フィルム全面積に対して０．５〜１．５％となるように設けられる。
【００５２】
スリット孔２’である場合は、複数本のスリット孔を放射状に配置してスリット群を構成することが好ましい。
【００５３】
以下に、図４を参照して、スリット群の構成例について説明する。
【００５４】
図４はスリット群の構成例を説明する図であり、図３（ａ）は５本のスリット孔によって構成されたスリット群の一例、図３（ｂ）は６本のスリット群によって構成されたスリット群の一例を、それぞれ示している。
【００５５】
図４（ａ）に示すスリット群２０は、直線状の５本のスリット孔２’によって構成されている。このとき、５本のスリット孔２’は、各外端部を繋げた仮想上の直線が、好ましくは正五角形を形作るように、等角度で放射状に配置されている。各スリット孔２’は放射の中心部Ｃ（図４中に１点鎖線で示す）から距離を置いて配置されている。以下の説明では、必要により、このようなスリット群２０についてペンタゴンともいう。
【００５６】
スリット孔２’は、所定の開口面積で開口している。つまり、スリット孔２’は、単純な切れ目とは異なり、平坦に載置した状態で開口面積を有している。そのため、本発明が規定する開口率を達成することができる。このようなスリット孔２は、レーザー加工によって好適に形成できる。
【００５７】
スリット孔２’の開口形状は、拡大してみれば方形状をなしており、その開口面積は、長さと幅の積で表される。
【００５８】
図４（ｂ）に示すスリット群２０は、直線状の６本のスリット孔２’によって構成されている。このとき、６本のスリット孔２’は、各外端部を繋げた仮想上の直線が、好ましくは正六角形を形作るように、等角度で放射状に配置されている。各スリット孔２’は放射の中心部Ｃから距離を置いて配置されている。以下の説明では、必要により、このようなスリット群２０についてヘキサゴンともいう。
【００５９】
スリット群の構成は、上記の例に限定されず、種々の形態とすることができる。例えば、上述したスリット群を構成する複数のスリットの外側、あるいは、複数のスリット間に、更なるスリット孔を形成して、スリット群としてもよい。
【００６０】
以上に説明したスリット群は、本発明が規定する開口率を達成するように、該スリット群を構成するスリット孔の本数、及び、フィルム１上に設けられるスリット群の数等を設定することができる。
【実施例】
【００６１】
以下に、本発明の実施例について説明するが、本発明はかかる実施例により限定されない。
【００６２】
１．フィルム作製
（フィルム１）
市販の農業用フィルム素材（ポリエチレン系樹脂製；「みかど長寿」）に、溶融切断によって、直径３ｍｍの小孔（丸孔）を開口率１％となるように設けた。
【００６３】
次いで、フィルムの一方の面（トンネルに展張した際にトンネル外表面になる側）の全面に、下記のように調製した塗布液を塗布した。得られたフィルムを、フィルム１とした。
【００６４】
＜塗布液＞
コロイダルシリカ１５重量％及び界面活性剤１重量％から成る原液を、水で１００倍に希釈して使用する。
【００６５】
（フィルム２）
フィルム１において、丸孔に代えて、長さ１０ｍｍ、幅０．３１ｍｍのスリット孔を形成したこと以外は、フィルム１と同様にしてフィルム２を得た。
ここでは、図４（ａ）に示したものと同様に、放射状に配置された５本のスリット孔によってスリット群（ペンタゴン）を構成している。このようなスリット群を、開口率１％となるように、フィルム全体に複数形成した。
【００６６】
（フィルム３）
フィルム２において、図４（ｂ）に示したものと同様に、６本のスリット孔によってスリット群（ヘキサゴン）を構成したこと以外は、フィルム２と同様にして、フィルム３を得た。フィルム２との対比で、スリット群を構成するスリット孔の本数を５本から６本に増やしたことに伴って、開口率は１％から１．２％になった。
【００６７】
（フィルム４）
フィルム１において、開口率２％に代えた以外は、フィルム１と同様にしてフィルム４を得た。
【００６８】
（フィルム５）
フィルム１において、小孔を省略した以外は、フィルム１と同様にしてフィルム５を得た。
【００６９】
２．フィルム展張及びフィルム被覆内部環境試験
フィルム１〜５を、それぞれトンネル枠組みに展張し、農業用トンネル１〜５とした。
【００７０】
農業用トンネル１〜５のそれぞれについて、１日のうちのトンネル内部の最低温度及び最高温度、外気温の最低温度及び最高温度を測定した。結果は表１、表２に示す。
【００７１】
（１）試験日：３月１５日（晴）
【００７２】
【表１】
2019017360.tif 000003
【００７３】
（２）試験日：３月１６日（曇）
【００７４】
【表２】
2019017360.tif 000004
【００７５】
＜評価＞
開口率２％のトンネル４は、温度が高い場合には好適にフィルム被覆内部を換気して昇温を抑制することができるが（表１）、常に開口部分から空気の流出入があるため、昇温効果をほぼ得ることができない（表２）。
【００７６】
開口率０％のトンネル５は、フィルム内を密封するため、好適に昇温効果を発揮するが（表２）、一方で、空気の流出入がないため、外気温が上昇すると、フィルム内の温度が昇温しすぎてしまう（表１）。
【００７７】
これに対して、開口率１％のトンネル１〜３では、開口率０％のトンネル５と同程度の昇温効果を得ながら（表２）、外気温が上昇すると、フィルム内の昇温を抑制できる（表１）。
【００７８】
これは、トンネル１〜３に用いたフィルム１〜３の開口率が本発明の範囲であることによって、外気温の状況によって保温及び換気を切り替え可能となったためである。この効果は、フィルム被覆内部とフィルム被覆外部との温度差が１０℃程度になることによって切り替え可能となる。
【００７９】
フィルム被覆内部の空気が、フィルム被覆外部の空気よりも１０℃以上高く加温された際に、小孔、スリット孔が、フィルム被覆内部の加温された空気を、フィルム被覆内部から前記フィルム外部へ排出する排出部となる。
【００８０】
また、温度差が１０℃未満である場合には、小孔、スリット孔は、フィルム被覆内部の空気をフィルム被覆内部からフィルム被覆外部へ排出しない。
【符号の説明】
【００８１】
１：農業用フィルム
２：小孔
２’：スリット孔
２０：スリット群
【図１】
2019017360.tif 000005
【図２】
2019017360.tif 000006
【図３】
2019017360.tif 000007
【図４】
2019017360.tif 000008